(57)【要約】【課題】植栽基盤の乾燥を抑制しつつ植栽基盤への酸素の供給量を増加させる。【解決手段】植栽装置１０は、植物が植栽される植栽マット２０と、植栽マット２０を両面から挟んで保持する一対の鋼材３０Ａ、３０Ｂと、植栽マット２０に上端部２０Ｕと下端部２０Ｌとに繋がる連続部２０Ｍが残るように形成された開口部２４と、一対の鋼材３０Ａ，３０Ｂに開口部２４と重ならない位置に形成され植物を植栽マット２０に植栽するための植栽孔３２Ａ、３２Ｂと、一対の鋼板３０Ａ、３０Ｂに開口部２４と重なる位置に形成され一対の鋼板３０Ａ、３０Ｂの間に空気を導入する通気孔３４Ａ、３４Ｂと、を備えている。【選択図】図１
2020078257.tif 000002
【特許請求の範囲】
【請求項１】
植物が植栽される植栽基盤と、
前記植栽基盤を両面から挟んで保持する一対の板材と、
前記植栽基盤に、上端部と下端部とに繋がる連続部が残るように形成された開口部と、
一対の前記板材の少なくとも一方に、前記開口部と重ならない位置に形成され、前記植物を前記植栽基盤に植栽するための植栽孔と、
一対の前記板材の少なくとも一方に、前記開口部と重なる位置に形成され、一対の前記板材の間に空気を導入する通気孔と、
を備えた植栽装置。
【請求項２】
前記通気孔は、一対の前記板材の両方に重なるように形成されている、
請求項１に記載の植栽装置。
【請求項３】
一対の前記板材の間の前記植栽基盤の前記開口部に、照明器具が設けられている、
請求項１又は請求項２に記載の植栽装置。
【請求項４】
前記植栽基盤は、シート状の多孔質体の植栽シートが積層されて構成され、
前記植栽孔から前記植栽シートが引き出され、前記植物が植栽される収容部が形成される、
請求項１〜請求項３のいずれか１項に記載の植栽装置。
【発明の詳細な説明】
【技術分野】
【０００１】
本発明は、植栽装置に関する。
【背景技術】
【０００２】
特許文献１には、室内で鑑賞植物を育成するための室内用植栽パーテションに関する技術が開示されている。この先行技術では、室内用植栽パーテションは、貯水槽上に対向して設けられた左右一対の側板を有し、側板の上端間に天板が掛け渡されている。この天板には、植物を生やすための土壌壁が吊下げられている。更に、前部化粧板及び後部化粧板が、土壌壁の前面及び後面を覆うように設けられている。そして、前部化粧板と後部化粧板とには、それぞれ、土壌壁に植生された植物を露出させるための複数の露出孔が形成されている。
【先行技術文献】
【特許文献】
【０００３】
【特許文献１】特開２０１３−１１８８５０号公報
【発明の概要】
【発明が解決しようとする課題】
【０００４】
特許文献１の室内用植栽パーテションは、前部化粧板及び後部化粧板の複数の露出孔からの通気で、土壌壁に酸素に供給している。
【０００５】
しかし、前部化粧板及び後部化粧板の複数の露出孔から露出した土壌壁から水分が蒸発し、土壌壁が乾燥する。特に、この室内用植栽パーテションを屋外に設置した場合は、露出孔から露出した土壌壁に日光があたり、水分の蒸発による乾燥が促進する。
【０００６】
本発明は、上記事実を鑑み、植栽基盤の乾燥を抑制しつつ植栽基盤への酸素の供給量を増加させることが目的である。
【課題を解決するための手段】
【０００７】
第一態様は、植物が植栽される植栽基盤と、前記植栽基盤を両面から挟んで保持する一対の板材と、前記植栽基盤に、上端部と下端部とに繋がる連続部が残るように形成された開口部と、一対の前記板材の少なくとも一方に、前記開口部と重ならない位置に形成され、前記植物を前記植栽基盤に植栽するための植栽孔と、一対の前記板材の少なくとも一方に、前記開口部と重なる位置に形成され、一対の前記板材の間に空気を導入する通気孔と、を備えた植栽装置である。
【０００８】
第一態様によれば、植栽基盤は植栽孔に重なる部位以外は板材から露出していないので、乾燥が抑制される。また、板材の通気孔から一対の板材の間に導入された空気が、植栽基盤の開口部の端面に接触することで、植栽基盤に空気（酸素）を供給する。よって、植栽基盤の乾燥を抑制しつつ、植栽基盤への空気（酸素）の供給量を増加させることできる。そして、植栽基盤への空気（酸素）の供給量が増加することで、植栽基盤に植栽された植物の健全生育が促進される。
【０００９】
第二態様は、前記通気孔は、一対の前記板材の両方に重なるように形成されている、第一態様に記載の植栽装置である。
【００１０】
第二態様によれば、風が通気孔及び開口部を通るので、植栽装置が受ける風圧力が軽減する。
【００１１】
第三態様は、一対の前記板材の間の前記植栽基盤の前記開口部に、照明器具が設けられている、第一態様又は第二態様に記載の植栽装置である。
【００１２】
第三態様によれば、一対の板材の間の植栽基盤の開口部に設けられた照明器具が発した光が、通気孔からこぼれ、高い意匠性が得られる。
【００１３】
第四態様は、前記植栽基盤は、シート状の多孔質体の植栽シートが積層されて構成され、前記植栽孔から前記植栽シートが引き出され、前記植物が植栽される収容部が形成される、第一態様〜第三態様のいずれか一つに記載の植栽装置である。
【００１４】
第四態様によれば、植栽シートは、保水性及び排水性の両方が優れているシート状の多孔質体で構成されているので、植物の生育にとって水分条件や空気条件などの生育条件を好適に保つことができる。
【発明の効果】
【００１５】
本発明によれば、植栽基盤の乾燥を抑制しつつ植栽基盤への酸素の供給量を増加させることができる。
【図面の簡単な説明】
【００１６】
【図１】第一実施形態の植栽装置の分解斜視図である。
【図２】第一実施形態の植栽装置の斜視図である。
【図３】第一実施形態の植栽装置を支持部材で支持する前の状態の第一実施形態の緑化装置の斜視図である。
【図４】第一実施形態の緑化装置の斜視図である。
【図５】図４の緑化装置に植物を植栽した状態の斜視図である。
【図６】緑化装置の植栽装置における収容部のＹ方向に沿った拡大断面図である。
【図７】通気孔から一対の鋼板内に侵入する空気と通気孔を抜ける風とを図示した図４に対応する斜視図である。
【図８】夜間に照明器具が点灯して通気孔から光がこぼれている状態を図示した図４に対応する斜視図である。
【図９】第二実施形態の植栽装置の分解斜視図である。
【図１０】第二実施形態の植栽装置を支持部材で壁面に固定した状態の第二実施形態の緑化装置の斜視図である。
【図１１】（Ａ）は第一実施形態の植栽装置の植栽マットの正面図であり、（Ｂ）は第一変形例の植栽マットの正面図であり、（Ｃ）は第二変形例の植栽マットの正面図である。
【図１２】（Ａ）は人工土壌又は培養土壌で構成された植栽基盤にポット苗を差し込む前の状態のＹ方向に沿った拡大断面図であり、（Ｂ）は植栽基盤にポット苗を差し込んだ状態の拡大断面図である。
【図１３】潅水装置及び照明装置のブロック図である。
【発明を実施するための形態】
【００１７】
＜第一実施形態＞
次に本発明の第一実施形態の植栽装置について説明する。なお、鉛直方向をＺ方向とし、左右方向をＸ方向とし、Ｚ方向とＸ方向とに直交する方向をＹ方向とする。なお、後述する植栽マットの厚み方向（面外方向）がＹ方向である。また、Ｙ方向から見る場合を正面視とする。
【００１８】
［構造］
先ず、植栽装置の構造について説明する。
【００１９】
図１及び図２に示すように、植栽装置１０は、植栽マット２０と、植栽マット２０の両面を挟んで保持する一対の鋼板３０Ａ、３０Ｂと、照明器具６０と、を有している。なお、本実施形態では、鋼板３０Ａと鋼板３０Ｂとは、同じもの（同形状）である。よって、これらを区別して説明する必要がある場合を除き符号の後のＡ及びＢを省略する。
【００２０】
植栽基盤の一例としての植栽マット２０は、複数、本実施形態では三枚の植栽シート２２が重ねられて構成されている。植栽マット２０を構成する植栽シート２２は、植物９０の根９２（図６参照）が進入可能（根９２をはることが可能）で、保水性及び吸水性の高い材料（フェルト、不織布、ウレタン、スポンジ、ヤシ繊維等）で構成された多孔質体をシート状に加工したものである。また、本実施形態の植栽シート２２は、飽和含水率８０％以上且つ飽和透水係数０．０５ｃｍ／ｓ以上の排水性能が高い多孔質体を用いている。
【００２１】
図１、図２及び図１１（Ａ）に示すように、植栽マット２０には、上端部２０Ｕと下端部２０Ｌとに繋がる連続部２０Ｍ（図１参照）が残るように開口部２４が形成されている。本実施形態の開口部２４は、正面視でＴ字状とされ、下端部２０Ｌに開放端２４Ｋが形成されている。
【００２２】
図１及び図２に示すように、板材の一例としての一対の鋼板３０は、植栽孔３２及び通気孔３４が形成されている。なお、本実施形態では、前述したように、一対の鋼板３０Ａ及び鋼板３０Ｂは同形状であり、植栽孔３２Ａと植栽孔３２Ｂ（図１参照）とは同じ位置に同じ大きさで形成され、通気孔３４Ａと通気孔３４Ｂ（図１参照）とは同じ位置に同じ大きさで形成されている。また、植栽孔３２Ａ、３２Ｂは植栽マット２０の開口部２４と重ならない位置に形成され、通気孔３４Ａ、３４Ｂは植栽マット２０の開口部２４と重なる位置に形成されている。
【００２３】
よって、図２に示すように、一対の鋼板３０で植栽マット２０の両面を挟んで保持し一体化した状態では、植栽孔３２から植栽マット２０が露出し、通気孔３４からは植栽マット２０は露出していない。前述のように、通気孔３４Ａと通気孔３４Ｂ（図１参照）とは同じ位置に同じ大きさで形成されているので、Ｙ方向から見た正面視で鋼板３０Ａの通気孔３４Ａと鋼板３０Ｂの通気孔３４Ｂとは重なる。
【００２４】
図１に示すように、一対の鋼板３０の一方（本実施形態では鋼板３０Ｂ）における植栽マット２０の開口部２４に対応する位置に照明装置６９（図１３参照）を構成する照明器具６０が設けられている。本実施形態の照明器具６０は、テープＬＥＤであり、水平方向に沿って配置され、且つ上下方向に間隔をあけて三箇所設けられている。
【００２５】
図２に示すように、一対の鋼板３０が植栽マット２０の両側から挟んで一体化することで、植栽マット２０の開口部２４に照明器具６０が配置される。
【００２６】
図１３に示すように、照明装置６９は、各照明器具６０と制御装置２１４とを有している。制御装置２１４は、後述する潅水装置２００と共用している。
【００２７】
各照明器具６０は、制御装置２１４と電気的に接続されている。本実施形態では、制御装置２１４には、光センサー６２が電気的に接続され、日没等で周囲が暗くなると照明器具６０が点灯するように構成されている（図８参照）。なお、制御装置２１４には、図示してない点灯スイッチが電気的に接続され、任意に照明器具６０を点灯させることもできるようになっている。
【００２８】
図１に示すように、植栽マット２０及び鋼板３０には、ボルト締結用の貫通孔４０、４２が両縦辺部に上下方向に間隔をあけて合計四箇所形成されている。
【００２９】
図４及び図５に示すように、緑化装置１００は、前述した植栽装置１０（図１及び図２も参照）と、支持部材１１０（図３も参照）と、潅水装置２００（図１３も参照）と、を含んで構成されている。
【００３０】
図３、図４及び図５に示すように、支持部材１１０は、Ｘ方向に間隔をあけて設置されている。支持部材１１０は、支柱部１１２と固定部１１４で逆Ｔ字形状を成している。支柱部１１２は内側が開口側とする断面溝形状である。
【００３１】
図３に示すように、支柱部１１２にはボルト締結用の貫通孔１１６が形成されている。固定部１１４は、支柱部１１２の下端部からＹ方向両側に延在し、地盤等に図示していないアンカー等で固定されている。
【００３２】
そして、支持部材１１０の溝状の支柱部１１２に一対の鋼板３０で植栽マット２０を両側から挟んだ状態で、矢印Ｈのように差し込み、貫通孔１１６及び貫通孔４０、４２（図１参照）にボルト４４を挿通し、ナット４６で締結することで、植栽マット２０と一対の鋼板３０とが一体化されると共に地盤等に設置される（図４も参照）。なお、鋼板３０Ａと鋼板３０Ｂとの間にスペーサが挟まれていてもよい。
【００３３】
図１３に示すように、潅水装置２００は、外周面２０２Ａに複数の孔２０４が形成された筒状のホース２０２と、ポンプ２１０と、ホース２０２とポンプ２１０とを繋ぐチューブ２１２と、ポンプ２１０に電気的に接続されポンプ２１０を制御する制御装置２１４と、を有している。
【００３４】
図４及び図５に示すように、潅水装置２００のホース２０２は、植栽装置１０を構成する植栽マット２０の上端の上にＸ方向に沿って配置されている。
【００３５】
図１３に示す制御装置２１４は、定期的に予め定めた量の水がホース２０２に供給されるように、ポンプ２１０を制御する。そして、ホース２０２に水が供給されると、各孔２０４から水が吐出し、植栽マット２０（植栽シート２２）に浸透する。つまり、植栽マット２０（植栽シート２２）に灌水される。なお、本実施形態では、肥料入りの水を吐出（灌水）させている（液肥潅水）。また、制御装置２１４には、図示してない潅水スイッチが電気的に接続され、任意に潅水させることもできるようになっている。
【００３６】
図４、図５及び図６に示すように、緑化装置１００の鋼板３０の植栽孔３２から植栽シート２２が引き出されて突出し、植物９０（図５及び図６参照）が植栽される上部が開口した収容部５０が形成されている。なお、図６に示すように、植栽装置１０の両面に収容部５０が形成され植物９０が植栽されている。
【００３７】
なお、図４及び図５では、植栽装置１０を一つのみ設置しているが、これに限定されない。複数の植栽装置１０を並べて設置してもよい。
【００３８】
（収容部の形成方法）
次に、収容部５０の形成方法の一例について説明する。
【００３９】
図４に示すように、植栽装置１０の鋼板３０の植栽孔３２から植栽シート２２に水平方向の切目５２を入れる（図４の右下の植栽孔３２を参照）。そして、植栽孔３２から突出するように植栽シート２２における切目５２の下側の部位を引き出し、上部が開口した収容部５０を形成する。そして、図５及び図６に示すように、収容部５０に植物９０を植栽する。
【００４０】
図６に示すように、収容部５０に植栽された植物９０は、植栽マット２０（植栽シート２２）に根９２をはる。
【００４１】
［作用及び効果］
次に、本実施形態の作用及び効果について説明する。
【００４２】
緑化装置１００の植栽マット２０は、鋼板３０の植栽孔３２に重なる部位以外は露出していないので、乾燥が抑制される。また、図７の矢印Ｆ１で示すように、鋼板３０の通気孔３４から一対の鋼板３０の間に導入された空気が、植栽マット２０の開口部２４の端面２５（図１及び図１１（Ａ）参照）に接触することで、植栽マット２０に植物９０の生育に必要な空気（酸素）を供給する。よって、植栽マット２０の乾燥を抑制しつつ、植栽マット２０への空気（酸素）の供給量を増加させることできる。そして、植栽マット２０への空気（酸素）の供給量が増加することで、植栽マット２０に植栽された植物９０の健全生育が促進される。
【００４３】
また、一対の鋼板３０の通気孔３４は、開口部２４に重なるように同じ位置に形成されている。よって、図７の矢印Ｆ２で示すように、風が通気孔３４及び開口部２４を通るので、緑化装置１００（植栽装置１０）が受ける風圧力が軽減する。
【００４４】
また、図８に示すように、一対の鋼板３０の間の植栽マット２０の開口部２４に設けられた照明器具６０が発した光が、通気孔３４からこぼれ、高い意匠性が得られる。
【００４５】
また、植栽マット２０を構成する植栽シート２２は、保水性及び排水性の両方が優れているシート状の多孔質体で構成されているので、植物９０の生育にとって水分条件や空気条件などの生育条件を好適に保つことができる。
【００４６】
＜第二実施形態＞
次に本発明の第二実施形態の植栽装置について説明する。なお、第一実施形態と同一の部材には同一の符号を付し、重複する説明は省略する。
【００４７】
［構造］
先ず、植栽装置の構造について説明する。
【００４８】
図９に示すように、植栽装置１２は、植栽マット２０と、植栽マット２０の両面を挟んで保持する一対の鋼板３０Ａ、３０Ｂと、照明器具６０と、を有している。なお、本実施形態では、鋼板３０Ｂには、植栽孔３２Ｂ及び通気孔３４Ｂ（図１参照）は形成されていない。
【００４９】
図１０に示すように、緑化装置２０１は、前述した植栽装置１２（図９参照）と、支持部材２１５と、潅水装置２００（図１３も参照）と、を備えている。本実施形態では、鋼板３０Ｂには植栽孔３２Ｂは形成さていないので、鋼板３０Ａ側のみに植物９０が植栽されている。
【００５０】
支持部材２１５は、水平方向に沿って配置され、上下に間隔をあけて壁面２０７に取り付けられている。支持部材２１５、壁面２０７と反対側が開口側とする断面溝形状のレール部材である。支持部材２１５には、ボルト４４の頭部が挿入されている。
【００５１】
そして、一対の鋼板３０で植栽マット２０を両側から挟んだ状態で貫通孔１１６及び貫通孔４０、４２（図９参照）にボルト４４を挿通し、ナット４６で締結することで、植栽マット２０と一対の鋼板３０とが一体化されると共に壁面２０７に取り付けられる。鋼板３０Ａと鋼板３０Ｂとの間には、図示していないスペーサが挟まれている。
【００５２】
なお、図１０では植栽装置１２を一つのみ壁面２０７に取り付けているが、これに限定されない。複数の植栽装置１２を壁面２０７に並べて取り付けてもよい。また、壁面２０７における窓等の開口部を除く全面又は略全面を植栽装置１２で覆うように取り付けてもよい。
【００５３】
［作用及び効果］
次に、本実施形態の作用及び効果について説明する。
【００５４】
緑化装置２０１の植栽マット２０は、鋼板３０の植栽孔３２に重なる部位以外は露出していないので、乾燥が抑制される。また、鋼板３０の通気孔３４から一対の鋼板３０の間に導入された空気が、植栽マット２０の開口部２４の端面２５（図９及び図１１（Ａ）参照）に接触することで、植栽マット２０に植物９０の生育に必要な空気（酸素）を供給する。よって、植栽マット２０の乾燥を抑制しつつ、植栽マット２０への空気（酸素）の供給量を増加させることできる。そして、植栽マット２０への空気（酸素）の供給量が増加することで、植栽マット２０に植栽された植物９０の健全生育が促進される。
【００５５】
また、一対の鋼板３０の間の植栽マット２０の開口部２４に設けられた照明器具６０が発した光が、通気孔３４からこぼれ、高い意匠性が得られる（図８参照）。
【００５６】
なお、ビル等の建物の壁面２０７における窓等の開口部を除く全面又は略全面を植栽装置１２で覆うように取り付けた場合、通気孔３４からこぼれた光で、壁面２０７が発光するように見えるので、高い意匠性が得られる。
【００５７】
また、植栽マット２０を構成する植栽シート２２は、保水性及び排水性の両方が優れているシート状の多孔質体で構成されているので、植物９０の生育にとって水分条件や空気条件などの生育条件を好適に保つことができる。
【００５８】
＜その他＞
尚、本発明は上記実施形態に限定されない。
【００５９】
例えば、全ての植栽孔３２に収容部５０を形成して植物９０を植栽してもよいし、一部の植栽孔３２にのみ収容部５０を形成して植物９０を植栽してもよい。
【００６０】
また、植栽装置１０、１２の下に植栽マット２０の下端部から排水された余剰水を受ける樋部材が設けられていてもよい。
【００６１】
また、例えば、図１１（Ａ）に示すように、上記実施形態の植栽マット２０の開口部２４は、正面視でＴ字状とされ、下端部２２Ｌに開放端２４Ｋが形成されていたが、これに限定されない。
【００６２】
例えば、図１１（Ｂ）に示す第一変形例の植栽マット２２０のように、一方の側部に開口する第一開口部２２４と他方の側部に開口する第二開口部２２６とが形成され、上端部２２０Ｕと下端部２２０Ｌとに繋がる連続部２２０Ｍが残るように構成されていてもよい。
【００６３】
或いは、図１１（Ｃ）に示す第二変形例の植栽マット３２０のように、上下方向に沿ったスリット状の開口部３２４であってもよい。別の観点から説明すると、二枚の分割マット３２２が間隔をあけて配置された構造であってもよい。そして、それぞれの分割マット３２２において、上端部３２２Ｕと下端部３２２Ｌとに繋がる連続部３２２Ｍが形成される。更に、分割マット３２２に、開口部２４、開口部２２４及び開口部２２６等が形成されていてもよい。
【００６４】
要は、開口部は、上端部と下端部とに繋がる連続部が残るように植栽基盤に形成されていればよい。
【００６５】
また、例えば、上記実施形態では、植栽基盤は、複数、上記実施形態では三枚の植栽シート２２が重ねられて構成された植栽マット２０であったが、これに限定されない。例えば、植栽基盤は、図１２（Ａ）及び図１２（Ｂ）に示す人工土壌やクロボク土等の培養土壌構成された植栽基盤２５０であってもよい。
【００６６】
なお、図１２（Ａ）及び図１２（Ｂ）に示すように、人工土壌又は培養土壌で構成された植栽基盤２５０の場合は、鋼板３０の植栽孔３２に対応する位置に植栽凹部２５２を形成し、植物９０が植栽されたポット苗２６２のポット２６０を植栽凹部２５２に差し込むように構成してもよい。人工土壌又は培養土壌で構成された植栽基盤２５０の場合の開口部も、上端部と下端部とに繋がる連続部が残るように形成されていればよい。
【００６７】
なお、このように厚い植栽基盤２５０の場合、開口部の端面の面積が広く、空気との接触面積が大きくなる。よって、通気孔３４（図１等を参照）から進入した空気による植栽基盤２５０への空気（酸素）の供給量が増加する。
【００６８】
また、例えば、植栽マット２０又は植栽基盤２５０と、鋼板３０との間に防水シートが挟まれていてもよい。防水シートは、ゴムやビニール等の水分蒸発防止機能を有する材料を使用してもよい。また、防水シートは、水分蒸発防止機能に加え、遮熱性や不燃性を有すると共に耐候性に優れた材料、例えば加硫ゴム系のシートを使用してもよい。なお、防水シートにも植栽マット２０又は植栽基盤２５０の開口部と同じ形状の開口部が形成されている。
【００６９】
また、植栽マット２０の場合は、防水シートにも切目５２をいれて、植栽シート２２と一緒に引き出して収容部５０を形成する。植栽基盤２５０の場合は、防水シートに孔を形成して植栽する。
【００７０】
なお、植栽マット２０又は植栽基盤２５０と、鋼板３０との間に防水シートが挟まれている場合、植栽マット２０又は植栽基盤２５０の乾燥が効果的に防止される。また、植栽マット２０又は植栽基盤２５０への空気（酸素）の供給は、通気孔３４（図１等を参照）から進入した空気で行うことができる。
【００７１】
また、例えば、上記実施形態では、板材は、鋼板３０で構成された平板であったが、これに限定されない。断面台形状、断面三角形状及び断面半円形状等の波形板であってもよい。また、鋼製以外の金属製の板材であってもよい。例えば、アルミニウム等の軽金属で構成された板材であってもよい。更に金属以外の材質、例えば、アクリル等の樹脂で構成された板材であってもよい。なお、透明アクリル等の透明又は半透明の材質で板材を構成した場合、照明器具が発光した光は、通気孔以外からも透過し発光するので、意匠性が向上する。
【００７２】
更に、本発明の要旨を逸脱しない範囲において種々なる態様で実施し得る。また、複数の実施形態及び変形例等は、適宜、組み合わされて実施可能である。
【符号の説明】
【００７３】
１０      植栽装置
１２      植栽装置
２０      植栽マット（植栽基盤の一例）
２０Ｌ    下端部
２０Ｍ    連続部
２０Ｕ    上端部
２２      植栽シート
２４      開口部
２５      端面
３０Ａ    鋼板（板材の一例）
３０Ｂ    鋼板（板材の一例）
３２Ａ    植栽孔
３２Ｂ    植栽孔
３４Ａ    通気孔
３４Ｂ    通気孔
５０      収容部
６０      照明器具
９０      植物
２２０      植栽マット（植栽基盤の一例）
２２０Ｌ    下端部
２２０Ｍ    連続部
２２０Ｕ    上端部
２２４      第一開口部
２２６      第二開口部
２５０      植栽基盤
３２０      植栽マット（植栽基盤の一例）
３２２Ｌ    下端部
３２２Ｍ    連続部
３２２Ｕ    上端部
３２４      開口部
【図１】
2020078257.tif 000003
【図２】
2020078257.tif 000004
【図３】
2020078257.tif 000005
【図４】
2020078257.tif 000006
【図５】
2020078257.tif 000007
【図６】
2020078257.tif 000008
【図７】
2020078257.tif 000009
【図８】
2020078257.tif 000010
【図９】
2020078257.tif 000011
【図１０】
2020078257.tif 000012
【図１１】
2020078257.tif 000013
【図１２】
2020078257.tif 000014
【図１３】
2020078257.tif 000015